(57)【要約】      （修正有）【課題】つり下げて設置でき、安定して固定し、容易に装着が可能な支持具を提供する。【解決手段】垂直方向の下面側が開放され内部に垂直の側壁が形成された開口部を有する固定部１と、垂直方向から挿入し固定部１に着脱自在な支持部２と、支持部２に固着され荷重を支持する受け部３とを備えた支持具１００であって、開口部は、側壁に連続する上側水平面と、上側水平面に連続して下方側に傾斜する上側第１傾斜面とが形成された上側溝部を有し、支持部は、上側第１傾斜面と当接可能な上第１接面と、上側第１接面に連続して溝部の上側水平面と当接可能な上側第２接面と、上側第２接面に連続して開口部の側面に当接可能な上側第３接面とが形成された上側溝挿入部を有し、受け部３は、支持部２の下部に固着されている。【選択図】図１
2014228125.tif 000002
【特許請求の範囲】
【請求項１】
水平の姿勢に保持される柱状体であって垂直方向の下面側が開放され内部に垂直の側壁が形成された開口部を有する固定部と、
上記開口部に垂直方向から挿入し上記固定部に着脱自在に取り付けられる支持部と、
上記支持部に固着され荷重を支持する受け部とを備えた支持具であって、
上記開口部は、上記側壁に連続する水平面と、上記水平面に連続して下方側に傾斜する第１傾斜面とが形成された溝部を有し、
上記支持部は、上記溝部の上記第１傾斜面と当接可能な第１接面と、上記第１接面に連続して上記溝部の上記水平面と当接可能な第２接面と、上記第２接面に連続して上記開口部の側面に当接可能な第３接面とが形成された溝挿入部を有し、
上記受け部は、上記支持部の下部に固着されている支持具。
【請求項２】
上記固定部は、上記開口部の内部において上記溝部が垂直方向における上下位置関係に複数個形成され、
上記支持部は、各上記溝部と対応する各箇所に各上記溝部に挿入可能な上記溝挿入部をそれぞれ形成されている請求項１に記載の支持具。
【請求項３】
各上記溝部は、上部側ほど上下方向の幅が広く形成され、
各上記溝挿入部は、各上記溝部の各上記幅に応じてそれぞれ形成されている請求項２に記載の支持具。
【請求項４】
上記受け部は、上記溝挿入部と相反する側に上下移動可能な凸部を備え、
上記凸部は、上記支持部が上記固定部に装着されている状態において、下方位置では上記開口部の外部位置となり、上方位置では上記開口部の内部位置となるとともに上記溝部と相反する側の側壁に当接する当接面を有する請求項１ないし請求項３のいずれか１項に記載の支持具。
【請求項５】
上記受け部は、上記凸部を上下方向に移動する移動手段を備えた請求項４に記載の支持具。
【請求項６】
上記固定部の上記開口部は、上記側壁を内部に複数箇所有し、各上記側壁に上記溝部がそれぞれ形成されている請求項１ないし請求項５のいずれか１項に記載の支持具。
【請求項７】
上記溝部の上記第１傾斜面は、垂直方向とのなす傾斜角を４５度にて形成されている請求項１ないし請求項６のいずれか１項に記載の支持具。
【請求項８】
上記溝部は、上記第１傾斜面より上方側位置に平行に形成された第２傾斜面を有し、
上記溝挿入部は、上記溝部の上記第２傾斜面と当接可能な第４接面を有する請求項１ないし請求項７のいずれか１項に記載の支持具。
【請求項９】
上記固定部の開口部は、水平方向に沿って上記支持部の水平方向の長さ以上の長さにて形成されている請求項１ないし請求項８のいずれか１項に記載の支持具。
【請求項１０】
上記固定部には、複数の上記支持部が挿入されている請求項９に記載の支持具。
【発明の詳細な説明】
【技術分野】
【０００１】
本発明は、例えば天井などの上部位置からつり下げて商品、表示物などの荷重を支持することができる支持具に関し、安定的にかつ容易に固定することができるものである。
【背景技術】
【０００２】
従来の支持具は、ハンガーなど商品を支持することができる支持具であり、設置場所を容易に変更することができかつ安定的に固定することができるものである（例えば、特許文献１参照）。
【先行技術文献】
【特許文献】
【０００３】
【特許文献１】特開２０００−１９７５４２号公報
【発明の概要】
【発明が解決しようとする課題】
【０００４】
従来の設置場所を容易に変更できる支持具は、横方向に設置されているため、天井などの上部位置からつり下げて使用することができないという問題点があった。
【０００５】
この発明は上記のような問題点を解決するためになされたもので、上部位置からつり下げて設置できかつ安定して固定しかつ容易に装着が可能な支持具を得るものである。
【課題を解決するための手段】
【０００６】
この発明の支持具は、
水平の姿勢に保持される柱状体であって垂直方向の下面側が開放され内部に垂直の側壁が形成された開口部を有する固定部と、
上記開口部に垂直方向から挿入し上記固定部に着脱自在に取り付けられる支持部と、
上記支持部に固着され荷重を支持する受け部とを備えた支持具であって、
上記開口部は、上記側壁に連続する水平面と、上記水平面に連続して下方側に傾斜する第１傾斜面とが形成された溝部を有し、
上記支持部は、上記溝部の上記第１傾斜面と当接可能な第１接面と、上記第１接面に連続して上記溝部の上記水平面と当接可能な第２接面と、上記第２接面に連続して上記開口部の側面に当接可能な第３接面とが形成された溝挿入部を有し、
上記受け部は、上記支持部の下部に固着されているものである。
【発明の効果】
【０００７】
本発明の支持具は、上記のように構成されているため、
受け部が形成された支持部が、固定部に上部位置からつり下げ可能で、かつ、安定して固定されかつ容易に装着が可能となる。
【図面の簡単な説明】
【０００８】
【図１】この発明の実施の形態１の支持具の構成を示す正面図および背面図である。
【図２】この発明の実施の形態１の支持具の構成を示す平面図、底面図、および右側面図である。
【図３】図１および図２に示した支持具の固定部の構成を示す正面図、平面図、底面図および右側面図である。
【図４】図１および図２に示した支持具の支持部および受け部の構成を示す正面図および背面図である。
【図５】図１および図２に示した支持具の支持部および受け部の構成を示す平面図、底面図および右側面図である。
【図６】図３に示した固定部の拡大右側面図。
【図７】図５に示した支持部および受け部の拡大部分右側面図。
【図８】図１および図２に示した支持具の設置例を示す右側面図。
【図９】図１および図２に示した支持具のピンを下げた状態を示す背面図および右側面図である。
【図１０】図９支持具のピンを上げた状態および下げた状態の支持部および受け部の状態を示す背面図である。
【図１１】図１および図２に示した支持具の受け部の構成例を示す斜視図である。
【発明を実施するための形態】
【０００９】
実施の形態１．
以下、本願発明の実施の形態について説明する。図１（ａ）はこの発明の実施の形態１の支持具の構成を示す正面図、図１（ｂ）はこの発明の実施の形態１の支持具の構成を示す背面図、図２（ａ）はこの発明の実施の形態１の支持具の構成を示す平面図、図２（ｂ）はこの発明の実施の形態１の支持具の構成を示す底面図、図２（ｃ）はこの発明の実施の形態１の支持具の構成を示す右側面図である。図３（ａ）は図１および図２に示した支持具の固定部の構成を示す正面図、図３（ｂ）は図１および図２に示した支持具の固定部の構成を示す平面図、図３（ｃ）は図１および図２に示した支持具の固定部の構成を示す底面図、図３（ｄ）は図１および図２に示した支持具の固定部の構成を示す右側面図である。
【００１０】
図４（ａ）は図１および図２に示した支持具の支持部および受け部の構成を示す正面図、図４（ｂ）は図１および図２に示した支持具の支持部および受け部の構成を示す背面図、図５（ａ）は図１および図２に示した支持具の支持部および受け部の構成を示す平面図、図５（ｂ）は図１および図２に示した支持具の支持部および受け部の構成を示す底面図、図５（ｃ）は図１および図２に示した支持具の支持部および受け部の構成を示す右側面図、図６は図３に示した固定部の拡大右側面図、図７は図５に示した支持部および受け部の拡大部分右側面図、図８は図１および図２に示した支持具の設置例を示す右側面図、図９（ａ）は図１および図２に示した支持具のピンを下げた状態を示す背面図、図９（ｂ）は図１および図２に示した支持具のピンを下げた状態を示す右側面図である。
【００１１】
図１０（ａ）は図９に示した支持具のピンを上げた状態の支持部および受け部の状態を示す背面図、図１０（ｂ）は図９に示した支持具のピンを下げた状態の支持部および受け部の状態を示す背面図、図１１は図１および図２に示した支持具の受け部の構成例を示す斜視図である。尚、各図において左側面図は省略しているが、右側面図と対象にあらわれるものである。また、中間省略した部分は図面上６００ｍｍである。また、図１から図５、および、図８〜図１０は実物を４０％に縮小して示したものである。また、図６、図７は実物を２００％に拡大して示したものである。但し、この大きさに限定されるものではなく、他の大きさにおいても同様に構成することは可能である。
【００１２】
図において、支持具１００は、固定部１と、支持部２と、受け部３とから構成されている。固定部１は、金属材にて形成されており、例えばアルミ押し出し型材にて形成されている。支持部２および受け部３は、アルミ材やステンレス材などの金属材にて形成されている。
【００１３】
固定部１は、水平方向Ｂの姿勢に保持される柱状体であって、垂直方向Ａの下面側が開放され内部に垂直の側壁１０ａ、１０ｂ、および、上端に上端壁１０ｃが形成された開口部１０を有する。開口部１０の内部には、垂直方向Ａにおける上下位置関係に複数個、ここでは上下方向に２個の下側溝部１１および上側溝部２０が形成されている。下側溝部１１は、側壁１０ａに連続する下側水平面１２と、下側水平面１２に連続して下方側に傾斜する下側第１傾斜面１３と、下側第１傾斜面１３より上方側位置に平行に形成された下側第２傾斜面１５と、底部にて垂直方向Ａに形成された下側底面１４とから構成されている。
【００１４】
また同様に、上側溝部２０は、側壁１０ａに連続する上側水平面２２と、上側水平面２２に連続して下方側に傾斜する上側第１傾斜面２３と、上側第１傾斜面２３より上方側位置に平行に形成された上側第２傾斜面２５と、底部にて垂直方向Ａに形成された上側底面２４とから構成されている。また、各溝部１１、２０の各第１傾斜面１３、２３は、垂直方向Ａとのなす傾斜角θが４５度にて形成されている。また、各溝部１１、２０は、上部側の上側溝部２０の上下方向の幅ｔ１が下部側の下側溝部１１の上下方向の幅ｔ２より広く形成されている。また、側壁１０ｂ側にも、側壁１０ａの下側溝部１１および上側溝部２０と同様に、相反下側溝部１１１および相反上側溝部２０１がそれぞれ形成されている。本実施の形態１においては、下側溝部１１および上側溝部２０と、相反下側溝部１１１および相反上側溝部２０１とは鏡対称位置にて形成されている。
【００１５】
支持部２は、開口部１０に垂直方向Ａから挿入し固定部１に着脱自在に取り付けられるものである。支持部２は、各溝部１１、２０と対応する各箇所に各溝部１１、２０に挿入可能な下側溝挿入部６０および上側溝挿入部７０が形成されている。下側溝挿入部６０は、下側溝部１１の下側第１傾斜面１３と当接可能な下側第１接面６２と、下側第１接面６２に連続して下側溝部１１の下側水平面１２と当接可能な下側第２接面６１と、下側第２接面６１に連続して開口部１０の側壁１０ａに当接可能な下側第３接面５０ａと、下側溝部１１の下側第２傾斜面１５と当接可能な下側第４接面６４と、端部にて垂直方向Ａに形成された下側端面６３とが形成されている。
【００１６】
また同様に、上側溝挿入部７０は、上側溝部２０の上側第１傾斜面２３と当接可能な上側第１接面７２と、上側第１接面７２に連続して上側溝部２０の上側水平面２２と当接可能な上側第２接面７１と、上側第２接面７１に連続して開口部１０の側壁１０ａに当接可能な上側第３接面５０ｂと、上側溝部２０の上側第２傾斜面２５と当接可能な上側第４接面７４と、端部にて垂直方向Ａに形成された上側端面７３とが形成されている。さらに、支持部２の上端には、水平方向Ｂに形成された上端面５０ｄが形成されている。
【００１７】
そして、各溝挿入部６０、７０と相反する側の側面５０ｃには上側スリット部４１（図１０（ａ）参照）を移動することにより上下移動可能な凸部８を備えている。支持部２が固定部１に装着されている状態において、図９（ｂ）に示すように、下方位置では開口部１０の外部位置となり、図２（ｃ）に示すように、上方位置では開口部１０の内部位置になるとともに、各溝部１１、２０と相反する側の側壁１０ｂに当接する当接面８ａを有している。また、この凸部８と上側スリット部４１を介して連結されており、凸部８の上下移動と連動して上下移動を行う覆い部９が凸部８の下方に形成されている。固定部１の開口部１０の幅ｔ５と、支持部２の幅ｔ６と、幅ｔ７との大きさは、固定部１に支持部２が挿入可能な程度のほぼ同一にて形成されている。
【００１８】
受け部３は、支持部２の下部に固着され荷重を支持するものである。ここでは円柱にて形成されている。また、受け部３の下端側には、支持部２の凸部８を上下方向に移動する移動手段としてのピン３０が形成されている。ピン３０は、受け部３の円柱に形成された下側スリット部３１内にて、凸部８および覆い部９に連結して形成されており、下側スリット部３１内を上下方向に移動することにより、連結している凸部８および覆い部９を上下方向に移動することができるものである。
【００１９】
固定部１の水平方向Ｂ１の長さｔ８は、支持部２の水平方向Ｂ１の長さｔ９より長く形成されている。但し、これらの長さｔ８と長さｔ９との関係は、長さｔ８≧長さｔ９が成り立てばよく、同一の長さでも可能である。また、長さｔ８が長さｔ９より長い場合には、固定部１の所望の箇所に支持部２を移動されて設置することが可能となる。また、長さｔ８が長さｔ９の倍以上の長さを有する場合には、固定部１に複数の支持部２を設置することが可能となる。また固定部１を複数個天井に設置することも可能であり、その場合、固定部１の所望の箇所に支持部２を設置することができる。
【００２０】
上記のように構成された実施の形態１の支持具１００の設置方法について説明する。まず、図８に示すように、固定部１を天井の構造部４００に水平方向Ｂの姿勢に保持されるように、固定部１の上部に形成された凹部２６に、ボルトやＬ字フランジや棒部材などのつり下げ機構部４０１を介して例えば３方向からつり下げられて固定して設置されている。尚、固定部１の長手方向の長さが長い場合には、さらに多数の箇所にて固定することとなる。そして、固定部１の突出壁１６と鍔部１８および突出壁１７と鍔部１９とには、天井ボード３００が設置されている。よって、下面から固定部１を見ると、天井ボード３００にて固定部１は遮蔽されているため、開口部１０のみが存在するように見える。また、図示は省略しているものの、固定部１の長手方向の各終端部には、開口部１０の側部を閉塞するようなエンドカバーが設置されている。
【００２１】
そして、図９に示すように、このように設置された固定部１の開口部１０に下方側から支持部２を挿入する。この際、受け部３のピン３０は下側スリット部３１内の下端にスライドさせておき、支持部２の凸部８は固定部１の開口部１０の外部位置である下端位置の状態にて保持される。そして、支持部２の幅ｔ６と、固定部１の開口部１０の幅ｔ５とはほぼ同一の大きさにて形成されているため、固定部１に支持部２を容易に挿入できる。そして、支持部２の各溝挿入部６０、７０を固定部１の開口部１０から各溝部１１、２０に下側にスライドさせて挿入する。
【００２２】
そして、支持部２および受け部３の荷重により、各溝挿入部６０、７０の各第１接面６２、７２は、固定部１の各第１傾斜面１３、２３にそれぞれ当接し、各溝挿入部６０、７０の各第２接面６１、７１は、固定部１の各水平面１２、２２にそれぞれ当接し、各溝挿入部６０、７０の各第３接面５０ａ、５０ｂは、固定部１の開口部１０の側壁１０ａにそれぞれ当接して固定される。さらに、支持部２に横揺れが生じると、支持部２の各溝挿入部６０、７０の各第４接面６４、７４は、固定部１の各第２傾斜面１５、２５にそれぞれ当接して固定される。よって、支持部２に横揺れが生じても、これらの当接により揺れを防止することができる。
【００２３】
次に、受け部３のピン３０を下側スリット部３１内の上端にスライドさせる。すると、支持部２の凸部８は、上側スリット部４１内を移動することにより、固定部１の開口部１０内に移動する。そして、支持部２の幅ｔ７と、固定部１の開口部１０の幅ｔ５とはほぼ同一にて形成されているため、開口部１０の側壁１０ｂに凸部８の当接面８ａが当接される。このように、固定部１の開口部１０内において、支持部２の、一端の側壁１０ａ側では各溝挿入部６０、７０が各溝部１１、２０にて固定され、他端の側壁１０ｂ側では凸部８の当接面８ａが側壁１０ｂに当接することにより固定される。よって、支持部２に横揺れおよび垂直方向Ａの突き上げが生じても、支持部２は固定部１の開口部１０内に確実に固定されることとなる。またこの際、凸部８連結されている覆い部９が移動し、例えば図１および図２（ｃ）に示すように固定部１の開口部１０の下端位置まで到達し、開口部１０内における支持部２および凸部８の構造物を下側から見えるのを覆っており、見えない状態とする。
【００２４】
また、支持部２を固定部１から外す場合には、上記に示した手順と逆の手順にて、受け部３のピン３０を下側スリット部３１内の下端にスライドさせる。すると、支持部２の凸部８は、上側スリット部４１内を下端に移動することにより、固定部１の開口部１０の外部位置に移動する。尚、この際、覆い部９は下側に移動している。そして、固定部１の開口部１０から支持部２を上部にスライドさせて移動させ、支持部２の各溝挿入部６０、７０を固定部１の開口部１０の各溝部１１、２０から上側にスライドさせて引き抜くことにより、固定部１から支持部２を容易に外すことができる。
【００２５】
また、上記に示した支持部２の各溝挿入部６０、７０の挿入および着脱動作は、固定部１の相反下側溝部１１１および相反上側溝部２０１に対しても同様に行うことが可能であり、その説明は適宜省略する。支持部２の各溝挿入部６０、７０を固定部１の相反下側溝部１１１および相反上側溝部２０１に挿入することにより、受け部３の方向性を変更する（左右の向きを変更する）ことができる。
【００２６】
また、受け部３は円柱にて示しているが、荷重を支持するためのものであればどのような構造でも可能であり、四角柱、三角柱など様々な例が考えられる。さらに、例えば図１１に示すように、受け部３の下端を、水平方向に伸ばしたポール部１０１を備え、ハンガーなどをかけディスプレイすることが可能である。また、受け部３の下端に台部１０２を備え、台部１０２上に商品などを載置してディスプレイすることが可能である。また、支持部２を２個備え、２個の受け部３間を接続する台部１０３を備え、台部１０３上に商品などを載置してディスプレイすることが可能である。また、支持部２を２個備え、２個の受け部３間にボード部１０４を備え、ボード部１０４にポスターを添付したり、サインを表示したりしてディスプレイすることが可能である。その他、様々な形状、利用方法などが可能である。
【００２７】
上記のように実施の形態１の支持具は上記に示したように構成されているため、受け部が形成された支持部が、固定部の開口部の垂直方向から挿入してつり下げ可能でかつ固定部に安定して支持部を固定させ、かつ、固定部から支持部を容易に着脱することが可能となる。
【００２８】
また、固定部は、開口部の内部において溝部が垂直方向における上下位置関係に複数個形成し、支持部は、各溝部と対応する各箇所に各溝部に挿入可能な溝挿入部をそれぞれ形成しているので、各溝部に各溝挿入部をそれぞれ挿入するため固定部への支持部の固定がより一層安定的になるとともに、上下方向における負荷が上下位置関係の溝部および溝挿入部において分散することができる。
【００２９】
また、各溝部は、上部側ほど上下方向の幅が広く形成され、各溝挿入部は、各溝部の各幅に応じて上部側ほど上下方向の幅が広くそれぞれ形成されているため、負荷のかかる上部側ほど頑丈に形成され、固定部への支持部の固定がより一層安定的となる。
【００３０】
また、受け部の凸部は、支持部が固定部に装着されている状態において、下方位置では開口部の外部位置となり、上方位置では開口部の内部位置となるとともに溝部と相反する側の側壁に当接する当接面を有しているため、凸部を下方位置とすることにより、固定部に支持部が着脱が容易になるとともに、固定部に支持部を装着した際に、側面と当接面が当接しているため、固定がより一層確実となり、支持部の横揺れおよび突き上げにより外れなどを防止することができる。
【００３１】
また、受け部に形成された移動手段により、凸部を上下方向に移動できるため、固定部から離れた箇所にて凸部を移動可能となり、操作性に優れている。
【００３２】
また、固定部の開口部は、側壁を内部に複数箇所有し、各側壁に溝部がそれぞれ形成されているため、支持部および受け部の方向性を変更して固定部に装着することが可能となり、適応範囲が広がる。
【００３３】
また、溝部の第１傾斜面は、垂直方向とのなす傾斜角を４５度にて形成されているため、第１傾斜面と、第１接面との当接による、支持部の加重が固定部に確実にかかり、支持部と固定部との固定がより確実となる。
【００３４】
また、溝部は第２傾斜面を有し、溝挿入部は第３接面を有しているため、支持部の横揺れに対して、第２傾斜面と第３接面との当接により横揺れを防止することができる。
【００３５】
また、固定部の開口部の水平方向の長さを、支持部の水平方向の長さより長く形成されているため、支持部を固定部の水平方向において様々な箇所に設置することができ、適応範囲が広がる。
【００３６】
また、固定部には、複数の支持部を挿入することにより、複数の支持部の受け部を連結することにより、適応範囲が広がる。
【００３７】
上記実施の形態１においては、開口部の内部において溝部が垂直方向における上下位置関係に２段（２個）形成し、支持部は、各溝部と対応する各箇所に各溝部に挿入可能な溝挿入部を２個それぞれ形成する例を示しているが、加工工程が増え、材料を多く必要となりコスト高となるが３段以上にて形成すれば上記実施の形態１と同様の効果を奏することができるとともに、さらに固定部への支持部の固定が強固となる。
また、上下位置関係に１段（１個）の溝部と溝挿入部とを上記実施の形態１と同様に形成して構成することも可能であり、上記実施の形態１と比較すると横揺れによる固定維持能力に差が生じるものの、上記実施の形態１と同様に受け部の負荷を支持することができる。
【００３８】
また、各溝部は、上部側ほど上下方向の幅が広く、各溝挿入部は、各溝部に応じてそれぞれ形成する例を示しているが、上部側ほど荷重を多く受けるために、上部側ほど幅を広く構成したものである。よって、これに限られることはなく、各溝部および各溝挿入部の上下方向の幅を同一にて形成することも可能であり、上記実施の形態と同様に受け部の負荷を支持することができる。
【００３９】
また、支持部は、凸部を備える例を示したが、上記実施の形態１と比較すると横揺れおよび突き上げによる固定維持の能力に差が生じるものの、凸部を備えない構成にて形成することも可能であり、上記実施の形態１と同様に支持部の溝挿入部を固定部の溝部に挿入すれば、固定部に支持部を固定することができ、上記実施の形態１と同様に受け部の負荷を支持することができる。
【００４０】
また、相反下側溝部および相反上側溝部とを鏡対称位置にて形成する例を示しているが、これに限られることはなく、対称位置であって、上下方向に異なる位置となるように形成することも可能であり、その場合、固定部の支持部の設置が、左右において高さ方向に異なる位置に設置すること可能となる。
【００４１】
尚、本発明は、その発明の範囲内において、実施の形態を適宜、変形、省略することが可能である。
【符号の説明】
【００４２】
１  固定部、２  支持部、３  受け部、８  凸部、８ａ  当接面、１０  開口部、
１０ａ  側壁、１０ｂ  側壁、１０ｃ  上端壁、１１  下側溝部、１２  下側水平面、
１３  下側第１傾斜面、１４  下側底面、１５  下側第２傾斜面、２０  上側溝部、
２２  上側水平面、２３  上側第１傾斜面、２４  上側底面、２５  上側第２傾斜面、
３０  ピン、５０ａ  下側第３接面、５０ｂ  上側第３接面、５０ｃ  側面、
５０ｄ  上端面、６０  下側溝挿入部、６１  下側第２接面、６２  下側第１接面、
６３  下側端面、６４  下側第４接面、７０  上側溝挿入部、７１  上側第２接面、
７２  上側第１接面、７３  上側端面、７４  上側第４接面、１００  支持具、
１０１  ポール部、１０２  台部、１０３  台部、１０４  ボード部、
１１１  相反下側溝部、２０１  相反上側溝部、３００  天井ボード、４００  構造部、４０１  つり下げ機構部、Ａ  垂直方向、Ｂ，Ｂ１  水平方向。
【図１】
2014228125.tif 000003
【図２】
2014228125.tif 000004
【図３】
2014228125.tif 000005
【図４】
2014228125.tif 000006
【図５】
2014228125.tif 000007
【図６】
2014228125.tif 000008
【図７】
2014228125.tif 000009
【図８】
2014228125.tif 000010
【図９】
2014228125.tif 000011
【図１０】
2014228125.tif 000012
【図１１】
2014228125.tif 000013